(57)【要約】【課題】薬の副作用による脱毛状態にあることを自然な形で覆い隠すことを可能とする癌患者用帽子を提供することである。【解決手段】癌患者用帽子１０は、癌患者２の頭部に沿って癌患者２の地毛１８に装着可能な帯部を有する装着部１２と、頭部の全体を覆い、装着部１２が内側の下部に着脱可能な帽子部１４と、を備え、装着部１２は、地毛１８に装着された状態で帯部１３の上方で地毛１８が帯部１３の周方向に沿って切断された際に該切断された切断境界部１１よりも下方の地毛を保持することを特徴とする。【選択図】図１
2019085675.tif 000002
【特許請求の範囲】
【請求項１】
癌患者の頭部に沿って前記癌患者の地毛に装着可能な帯部を有する装着部と、
前記頭部の全体を覆い、前記装着部が内側の下部に着脱可能な帽子部と、
を備え、
前記装着部は、前記地毛に装着された状態で前記帯部の上方で前記地毛が前記帯部の周方向に沿って切断された際に該切断された切断境界部よりも下方の地毛を保持することを特徴とする癌患者用帽子。
【請求項２】
請求項１に記載の癌患者用帽子において、
前記装着部は、前記帯部に並んで設けられる複数の挟持部を含み、
前記各挟持部は、所定量の前記地毛を挟持可能であることを特徴とする癌患者用帽子。
【請求項３】
請求項１に記載の癌患者用帽子において、
前記装着部は、所定量の前記地毛を挟持可能な一対の面ファスナーであることを特徴とする癌患者用帽子。
【請求項４】
請求項３に記載の癌患者用帽子において、
前記一対の面ファスナーは、前記帽子部の前記内側の下部にも着脱可能であることを特徴とする癌患者用帽子。
【発明の詳細な説明】
【技術分野】
【０００１】
本発明は、癌患者用帽子に関する。
【背景技術】
【０００２】
従来、癌患者に対して、抗がん剤の投与などの化学療法がなされると抜け毛などの副作用が生じる。脱毛が始まると、従来の自分の姿とは異なる状態になることもあるため、癌患者の気持ちが沈むことがある。そこで、帽子を被ったり、人工毛で形成されたかつらを被ったりするなどの対策がなされている。
【０００３】
本発明に関連する技術として、例えば、特許文献１には、抗がん剤の副作用による脱毛や頭部手術後に被る患者用帽子であって、少なくとも、吸湿発熱繊維で編成して柔軟な帽子本体を形成し、帽子本体が、吸湿発熱繊維で編成されるか或いは編成した布地を縫製して形成されると共に、その帽子本体の外周に、熱発散防止用の外被が重ねて設けられた患者用帽子が開示されている。
【先行技術文献】
【特許文献】
【０００４】
【特許文献１】特開２０１３−２２１２２７号公報
【発明の概要】
【発明が解決しようとする課題】
【０００５】
薬の副作用によって髪が抜け落ちた脱毛状態で帽子を被った場合に生え際や襟足周辺に髪の毛が無いことから周りの人から一見して脱毛状態であることが分かってしまう。また、人工毛のかつらを被った場合であっても、従来の地毛とは髪質や髪形などが全く異なるため違和感があり周りの人から一見して脱毛状態であることが知れてしまう虞がある。このため、癌患者は晴れやかな気持ちで外出することが難しい。
【０００６】
本発明の目的は、薬の副作用による脱毛状態にあることを自然な形で覆い隠すことを可能とする癌患者用帽子を提供することである。
【課題を解決するための手段】
【０００７】
本発明に係る癌患者用帽子は、癌患者の頭部に沿って前記癌患者の地毛に装着可能な帯部を有する装着部と、前記頭部の全体を覆い、前記装着部が内側の下部に着脱可能な帽子部と、を備え、前記装着部は、前記地毛に装着された状態で前記帯部の上方で前記地毛が前記帯部の周方向に沿って切断された際に該切断された切断境界部よりも下方の地毛を保持することを特徴とする。
【０００８】
また、本発明に係る癌患者用帽子において、前記装着部は、前記帯部に並んで設けられる複数の挟持部を含み、前記各挟持部は、所定量の前記地毛を挟持可能であることが好ましい。
【０００９】
また、本発明に係る癌患者用帽子において、前記装着部は、所定量の前記地毛を挟持可能な一対の面ファスナーであることが好ましい。
【００１０】
また、本発明に係る癌患者用帽子において、前記一対の面ファスナーは、前記帽子部の前記内側の下部にも着脱可能であることが好ましい。
【発明の効果】
【００１１】
本発明によれば、脱毛前の癌患者の地毛をそのまま保持した癌患者用帽子であるため、被っていても違和感がない。これにより、癌患者も薬の副作用による脱毛状態を気にすることなく、外出などすることができる。
【図面の簡単な説明】
【００１２】
【図１】本発明に係る実施形態の癌患者用帽子を示す図である。
【図２】本発明に係る実施形態の癌患者用帽子の装着部を示す図である。
【図３】本発明に係る実施形態の癌患者用帽子の装着部を癌患者の地毛に装着して髪の毛を切断している様子を示す図である。
【図４】本発明に係る実施形態の癌患者用帽子の変形例を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、癌患者用帽子１０を示す図である。図２は、癌患者用帽子１０の装着部１２を示す図である。図３は、癌患者用帽子１０の装着部１２を癌患者２の地毛１８に装着して地毛１８（髪の毛）を切断している様子を示す図である。図４は、癌患者用帽子１０の装着部１２の変形例を示す図である。
【００１５】
癌患者用帽子１０は、癌を患い抗がん剤を用いた治療を行う患者２が被るための帽子である。癌患者用帽子１０は、装着部１２と帽子部１４とを備えている。
【００１６】
装着部１２は、癌患者２の頭部に沿って癌患者２の地毛１８に装着可能な帯部１３を有している。装着部１２は、肌触りが良い材質で構成されていることが好ましく、例えば、コットン、麻（リネン、ジュートなど）、綿、ポリエステルなどを用いて編み込まれて形成されている。これらの材質は、保湿性、保温性、吸水性などの各種パラメータについて、季節によって適切なものとなるように選択することが好適である。
【００１７】
装着部１２は、地毛１８に装着された状態で帯部１３の上方で地毛１８が帯部１３の周方向に沿ってハサミ４により切断された際に切断された切断境界部１１よりも下方の地毛１８を保持する機能を有する。ハサミ４は、髪の毛を切る専用のハサミであることが好ましく、例えば、ハイカーボンステンレスなどの材質で構成された切れ味の良いものであることが好ましい。
【００１８】
装着部１２は、帯部１３に並んで設けられる複数の挟持部２０を含んで構成される。各挟持部２０は、所定量の地毛１８を挟持可能である。挟持部２０は、髪の毛を挟持可能な髪留めで構成されている。
【００１９】
髪留めとして、例えば、スモールクリップピン（シングルピン、ダブルピン）、アメピン（ヤナギピン、ボビーピン、スモールピン）、ヘアピン、スティックピンなどが考えられるが、ここでは、所謂パッチン留めと呼ばれるスリーピンを用いるものとして説明する。
【００２０】
図２の下図に示されるように、スリーピンは、第１ピン部２２と第２ピン部２４とを備えて構成されている。髪を挟み込まない開放時は第１ピン部２２と第２ピン部２４の先端が離間した形状を有しており、閉塞時は第１ピン部２２と第２ピン部２４の先端から基端まで閉じた状態となる。これにより、しっかりと癌患者２の地毛１８（髪の毛）を挟み込むことができる。
【００２１】
帯部１３は、癌患者２の頭部を囲むことが可能な長さを有していることが好ましい。ここでは、頭部全体を覆うように一体化されたものとして説明するが、複数に分離してもよい。例えば、耳のあたりから後頭部に渡る部分と前頭部に渡る部分の２つの帯に分けてもよい。
【００２２】
挟持部２０は、帯部１３の長手方向に沿って所定の間隔で並んで配置されており、糸などを用いて帯部１３に縫い付けられている。
【００２３】
帽子部１４は、癌患者２の頭部の全体を覆い、装着部１２が内側の下部に着脱可能なニット帽である。帽子部１４は、装着部１２と同様に、肌触りが良い材質で構成されていることが好ましく、例えば、コットン、麻（リネン、ジュートなど）、綿、ポリエステルなどを用いて編み込まれて形成されている。これらの材質は、保湿性、保温性、吸水性などの各種パラメータについて、季節によって適切なものとなるように選択することが好適である。
【００２４】
装着部１２は、帽子部１４の内側下部に着脱可能に取り付けられているが、ここでは糸を用いて縫い付けるものとして説明するが、もちろん、その他の手段を用いてもよく、例えば、マジックテープ（登録商標）を用いてもよく、両面テープを用いて固定してもよい。
【００２５】
続いて、上記構成の癌患者用帽子１０の作用について説明する。癌患者２が癌を患っていることの告知を受けた後、医師と相談の上、治療法を選択することになるが、抗がん剤の投与など化学療法がなされることがある。
【００２６】
抗がん剤の投与開始から約１０〜２０日程度経過してから脱毛が開始するため、癌の告知を受けてから脱毛が始まるまで猶予期間がある。この期間に癌患者用帽子１０を作成する。
【００２７】
最初に、装着部１２を癌患者２の頭部に沿って装着する。このとき生え際周辺から襟足に渡って設ける。このとき、挟持部２０である各スリーピンで癌患者２の地毛１８を挟んで閉じる。この状態で、ハサミ４を用いて帯部１３の上方（頭部の天井側）を帯部１３の周方向に沿って切断する。
【００２８】
切断後、装着部１２を癌患者２の頭部から外し、帯部１３において挟持部２０の上部側で接着剤などを用いて切断された地毛１８を固定する。この後、挟持部２０を縫い付けた糸を外して全ての挟持部２０を帯部１３から取り外す。挟持部２０を取り外すのは、挟持部２０がついたまま頭部に被ると癌患者２が痛くなることがあるからである。帯部１３よりも下方の地毛１８については、癌患者２のもともとの髪であり、艶、髪の色など髪質や髪型をそのまま保持した状態で吊下げることができる。
【００２９】
このように、図１の上図に示されるように、地毛１８を保持した装着部１２を帽子部１４の内側の下部に周方向に沿って縫い付ける。これにより、癌患者用帽子１０が完成する。この癌患者用帽子１０を図１の下図に示されるように癌患者２に被らせる。
【００３０】
このように癌患者用帽子１０によれば、癌患者２に生えていたもともとの地毛１８を用いているため、人工毛などは異なり全く違和感がない。また、単にニット帽を被るだけの生え際が見えない状態に比べても極めて自然な状態にすることができる。これにより、癌患者２も薬の副作用による脱毛状態を気にすることなく、晴れやかな気持ちで外出などすることができるという利点がある。
【００３１】
次に、癌患者用帽子１０の変形例に用いられる装着部３０について説明する。装着部３０は、癌患者２の地毛１８を挟持可能な一対の面ファスナー３２，３４を備えている。
【００３２】
面ファスナー３２は、フック状に起毛された面３２ａと、ループ状に密集して起毛された面３２ｂとを備えている。面ファスナー３４は、面ファスナー３４の面３２ａと貼付け可能なようにループ状に密集して起毛された面３４ａを有している。なお、ここでは面３２ｂはループ状に密集して起毛されたものとして説明するが、フック状に起毛されたものとしてもよい。
【００３３】
癌患者用帽子１０の装着部１２とは異なり、挟持部２０を用いることなく、癌患者２の地毛１８を挟む。具体的には、面ファスナー３４を癌患者２の頭部の地毛１８の内側に頭部を囲むように装着し、面ファスナー３２を面ファスナー３４に対応する位置に地毛１８の外側に設ける。
【００３４】
そして、面ファスナー３２を面ファスナー３４側に向けて押し付けることにより、フック状に起毛された面３２ａとループ状に密集して起毛された面３４ａとがくっついた状態となる。このとき、面ファスナー３２を面ファスナー３４によって地毛１８が挟み込まれた状態となる。この後、癌患者用帽子１０で述べた工程と同様に、装着部３０の上方において、周方向に沿ってハサミ４を用いて地毛１８を切断する。
【００３５】
癌患者２の地毛１８を保持した装着部３０を帽子部１４の内側の下部に装着するが、このとき癌患者用帽子１０で述べた工程とは少し異なり、面ファスナー３２の３２ｂを押し付けることにより、糸を用いることなくくっ付けることができる。このように完成した癌患者用帽子１０の変形例は、癌患者用帽子１０と同様に癌患者２に被らせることが出来て、同様の効果を奏する。
【符号の説明】
【００３６】
２  癌患者、４  ハサミ、１０  癌患者用帽子、１１  切断境界部、１２  装着部、１３  帯部、１４  帽子部、１８  地毛、２０  挟持部、２２  第１ピン部、２４  第２ピン部、３０  装着部、３２，３４  面ファスナー、３２ａ，３２ｂ，３４ａ  面。
【図１】
2019085675.tif 000003
【図２】
2019085675.tif 000004
【図３】
2019085675.tif 000005
【図４】
2019085675.tif 000006